(57)【特許請求の範囲】
【請求項１】
電話回線との回線接続制御や通信制御を行う通信処理部と、メータ端末との通信を行うメータインタフェース部と、前記電話回線と外部に接続される電話機との接続・切断を行うリレー部と、前記リレー部の電話回線と電話機との接続状態を検出する接点状態検出部と、前記通信処理部と前記メータインタフェース部と前記リレー部とを制御すると共に前記接点状態検知部の状態を検知する制御部と備え、前記リレー部の切断制御を行っていないにもかかわらず前記接点状態検出部が切断状態を検出したときに、前記制御部は前記リレー部を接続状態に動作させる端末網制御装置。
【請求項２】
制御部をマイクロコンピュータで構成し、接点検出部からの出力を前記マイクロコンピュータの割り込み入力に接続する請求項１記載の端末網制御装置。
【請求項３】
接点状態検出部は電話回線から供給される電力で動作する請求項１記載の端末網制御装置。
【請求項４】
制御部はリレーを切断状態に制御した状態において、接点状態検出部が接続状態を検出することにより通信処理部による通信動作を停止させる請求項１記載の端末網制御装置。
【請求項５】
制御部は予め設定された時間間隔で定期的に接点状態検出部の出力を確認し、接点反転状態時にリレー部を接続状態に動作させる請求項２記載の端末網制御装置。
【発明の詳細な説明】
【０００１】
【発明の属する技術分野】
本発明は端末網制御装置に関する。
【０００２】
【従来の技術】
図７に従来の端末網制御装置のブロック図を示す。図において、１は端末網制御装置であり端子Ｌ１、Ｌ２を介して電話回線２に接続され、その入力は電話回線２との接続制御、モデム通信等を行う通信処理部３に接続される。また、端子Ｌ１，Ｌ２は電話機４が接続される端子Ｔ１，Ｔ２との接続・切断を行うリレー部５に接続され、このリレー部５は図示はしないが周知の機械的なラッチングリレーを使用している。また、端子Ｌ１，Ｌ２はガスメータなどのメータ端末を接続する端子であり、メータインタフェース部８を介して制御部７と通信を行う。また、制御部７はリレー部５のコイルの通電制御や、電話回線２の極性反転を検出すると通信処理部３を制御し、図示はしないが通信処理部３に備えられているモデム回路等を動作させ、ノーリンギング信号（以後、ＮＲＳ信号と称する。）の受信処理やその後のデータ通信を行うノーリンギング通信とメータ端末からの発呼する端末発呼通信動作を行う。
【０００３】
【発明が解決しようとする課題】
一方、従来の端末網制御装置ではリレー部５に機械的なラッチングリレーを使用しているため、外部からの衝撃などによりこのラッチングリレーが反転し、電話回線と電話機が切離されてしまい、電話機が使用できなくなるという課題がある。  本発明はこのような従来の課題を解決するものであり、電話機が使用できなくなることを防止する端末網制御装置を提供することを目的とする。
【０００４】
【課題を解決するための手段】
上記課題を解決するために本発明は、リレーの誤動作で電話回線と電話機とが切断された場合にこの状態を検出し、即座に電話回線と電話機が接続されるようにラッチングリレーをリセットする手段を設けたものである。上記リセット手段により電話回線と電話機が切離されてしまい電話機が使用できなくなるようなことがなくなる。
【０００５】
【発明の実施の形態】
上記の課題を解決するために、電話回線との回線接続制御や通信制御を行う通信処理部と、メータ端末との通信を行うメータインタフェース部と、前記電話回線と外部に接続される電話機との接続・切断を行うリレー部と、前記リレー部の電話回線と電話機との接続状態を検出する接点状態検出部と、前記通信処理部と前記メータインタフェース部と前記リレー部とを制御すると共に前記接点状態検知部の状態を検知する制御部と備え、前記リレー部の切断制御を行っていないにもかかわらず前記接点状態検出部が切断状態を検出したときに、前記制御部は前記リレー部を接続状態に動作させることにより、リレー部の誤動作で電話機が電話回線より切離されてしまい電話機が使用できなくなる状態を低減することが可能となる。
【０００６】
また、接点状態検出部の出力を制御部を構成するマイクロコンピュータの割り込み入力で検出することにより、リレーの誤動作発生からリレーをリセットするまでの時間を短縮することが可能となる。
【０００７】
また、接点状態検出部を電話回線の電力で動作させるように構成することにより、電話回線に接続されない場合に接点状態検出部が動作しなくなり、端末網制御装置を電話回線に接続する設置までの電力の無駄な消費を防止することが可能となる。
【０００８】
また、通信動作中に接点状態検出部がリレーの誤動作を検出した場合に通信動作を中止させる制御部を設けることにより、通信の誤動作を防止することが可能となる。
【０００９】
更に、定期的にに接点状態検出部の出力を確認するよう制御部を構成することにより、リレーの誤動作に対して確実に対処することが可能となる。
【００１０】
【実施例】
本発明の実施例を図面に基づいて説明する。
【００１１】
（実施例１）
図１において、１は端末網制御装置であり端子Ｌ１、Ｌ２を介して電話回線２に接続され、その入力は電話回線２との接続制御、モデム通信等を行う通信処理部３に接続される。また、端子Ｌ１，Ｌ２は電話機４が接続される端子Ｔ１，Ｔ２との接続・切断を行うリレー部５に接続され、このリレー部５は図示はしないが周知の機械的なラッチングリレーを使用している。このラッチングリレーは図示はしないがセットコイルとリセットコイルが備えられており制御部７の出力端子７ａ，７ｂにパルスを出力させることにより、内臓された接点を切断・接続状態に制御することができる。
【００１２】
また、リレー部５にはリレーの接点が電話回線２と電話機４とが接続されているかどうかを検出する接点状態検出部６が接続されておりその出力は制御部７の入力端子７ｃに入力される。また、端子Ｍ１，Ｍ２はガスメータなどのメータ端末を接続する端子であり、メータインタフェース部８を介して制御部７と通信を行う。
【００１３】
また、制御部７は周知のマイクロコンピュータ（以後、マイコンと称する）により構成されており、リレー部５のコイルの通電制御、接点状態検出部６の出力の監視や、電話回線２の極性反転を検出すると通信処理部３を制御し、図示はしないが通信処理部３に備えられているモデム回路等を動作させ、ＮＲＳ信号の受信処理やその後のデータ通信を行うノーリンギング通信と前記メータ端末から発呼する端末発呼通信動作を行う。
【００１４】
図２は上記動作を説明するための要部個所の波形である。波形（２−１）は端子Ｔ１，Ｔ２の電圧波形でありＶ１は通常４８Ｖである。波形（２−２）は接点状態検出部６の出力波形である。また、波形（２−３）は制御部７の出力端子７ａの電圧波形である。通常電話回線から回線電圧Ｖ１が端子Ｔ１，Ｔ２に印加されているが、時刻ｔ１で衝撃などでリレー部５の接点が反転し端子Ｔ１，Ｔ２が端子Ｌ１，Ｌ２と切離されると、端子Ｔ１，Ｔ２に電圧が印加されなくなる。
【００１５】
この状態を接点状態検出部６が検出し波形（２−２）で示すような波形が出力され、制御部７の入力端子７ｃに入力される。制御部７は時間Ｔ２後にこの接点状態検出部６からの信号を検出すると、出力端子７ｂに波形（２−３）に示すリセットパルスを出力する。このリセットパルスによりリレー部５の接点は端子Ｌ１，Ｌ２と端子Ｔ１，Ｔ２を接続するように動作する。
【００１６】
（実施例２）
図３は制御部７の入力端子７ｃをマイコンの割込入力として処理する場合のマイコンの処理を示すフローチャート（ａ）、（ｂ）である。フローチャート（ａ）は割込処理の動作であり、リレー部５が誤動作した信号が制御部７の入力端子７ｃに入力されると割込処理９が処理され、ステップ１０でリレー部５をリセット状態にするかどうかを示すリレーリセットフラグＲＦを１にセットし、ステップ１１でその他端末網制御装置としての必要な処理を行い割込処理を終える。フローチャート（ｂ）はメイン処理の動作であり、ステップ１２においてリレーリセットフラグＲＦを確認し、リレーリセットフラグＲＦが立っていなければステップ１５で端末網制御装置としての通信動作などの処理を行う。ステップ１２でリレーリセットフラグＲＦが立っていることを確認した場合は、ステップ１３でリレーリセットフラグＲＦを０に戻し、ステップ１４で制御部７の出力端子７ｂからリセットパルスを出力するリレーリセット処理を行うように動作する。
【００１７】
（実施例３）
図４において、通信処理部３にはダイオードブリッジ３ａが備えられており電話回線２の極性を無極性にするよう動作する。また、リレー部５は接点５ａ〜５ｆで構成される接点と、図示はしないが接点を破線状態にするセットコイルと接点を実線で示す接続状態にするリセットコイルが備えられており、それぞれ制御部７の出力端子７ａ，７ｂから出力されるパルスにより制御される。
【００１８】
また、接点状態検出部６はリレー部５の接点５ｃ、５ｆから接続され、ダイオード６ａ，６ｂ、保護抵抗６ｃ、バイアス抵抗６ｄ、トランジスタ６ｅを備えている。リレー部５の接点が誤動作により点線で示す状態に切替わると端子Ｌ１，Ｌ２の何れか正電位の方からリレー接点を通り、ダイオード６ａ，６ｂの一方、抵抗６ｃを介してトランジスタ６ｅにベース電流が流れ、トランジスタ６ｅがオン状態になり制御部７の入力端子７ｃにその状態が入力される。トランジスタ６ｅは端子Ｌ１，Ｌ２に印加された電圧で動作するため、電話回線２が端子Ｌ１，Ｌ２に接続されていない場合には、リレー部５の接点が破線の状態であってもトランジスタ６ｅは動作しない。従って、端子Ｌ１，Ｌ２が電話回線２に接続されていない状態では制御部７、リレー部５は動作しないため回路に供給している電源の電力消費を抑えることが可能となる。
【００１９】
（実施例４）
図５は端末網制御装置１の要部波形図を示す。波形（５−１）は端子Ｔ１，Ｔ２の電圧波形、波形（５−２）は通信処理部３の通信状態を示す図、波形（５−３）は制御部７の出力端子７ｂの出力波形を示す。時刻ｔ１で衝撃などによりリレー部５の接点が切替わり端子Ｔ１，Ｔ２に電話回線２の電圧が発生しなくなると、接点状態検出部６がその状態を検出し通信処理部３が通信中であれば時刻ｔ２でその処理を停止させる。その後、制御部７は時刻ｔ３で出力端子７ｂにリセットパルスを出力し、リレー部５をリセット状態に復帰させる。
【００２０】
（実施例５）
図６は制御部７の入力端子７ｃをマイコンの割込入力として処理する場合のマイコンの処理を示すフローチャート（ａ）、（ｂ）である。フローチャート（ａ）は割込処理の動作であり、リレー部５が誤動作した信号が制御部７の入力端子７ｃに入力されると割込処理９が処理され、ステップ１０でリレー部５をリセット状態にするかどうかを示すリレーリセットフラグＲＦを１にセットし、ステップ１１でその他端末網制御装置としての必要な処理を行い割込処理を終える。フローチャート（ｂ）はメイン処理の動作であり、ステップ１２においてリレーリセットフラグＲＦを確認し、リレーリセットフラグＲＦが立っていなければステップ１５で端末網制御装置としての通信動作などの処理を行う。ステップ１２でリレーリセットフラグＲＦが立っていることを確認した場合は、ステップ１３でリレーリセットフラグＲＦを０に戻し、ステップ１４で制御部７の出力端子７ｂからリセットパルスを出力するリレーリセット処理を行うように動作する。
【００２１】
また、ステップ１６では所定時間をカウントしているタイマーを監視し、所定時間が経過するとステップ１７が処理される。ステップ１７では制御部７の入力端子７ｃのレベルを確認し、リレー部５の接点が誤動作状態であることを検出した場合にはステップ１８においてリレーリセットフラクＲＦを１に設定する。このリレーリセットフラグが１に設定されると、ステップ１２に前記同様にリレー部５がリセット動作されるように構成されている。
【００２２】
【発明の効果】
このように本発明によれば、リレー部により電話回線と電話機が接続されている状態で前記制御部からのリレー切断制御を行わないにもかかわらず前記接点状態検出部が切断状態を検出することによりリレーを接続状態に動作させる制御部とを備えることにより、リレーの誤動作で電話機が電話回線より切離されてしまい電話機が使用できなくなる状態を低減することが可能となる。
【００２３】
また、接点状態検出部の出力を制御部を構成するマイクロコンピュータの割り込み入力で検出することにより、リレーの誤動作発生からリレーをリセットするまでの時間を短縮することが可能となる。
【００２４】
また、接点状態検出部を電話回線の電力で動作させるように構成することにより、電話回線に接続されない場合に接点状態検出部が動作しなくなり、端末網制御装置を電話回線に接続する設置までの電力の無駄な消費を防止することが可能となる。
【００２５】
また、通信動作中に接点状態検出部がリレーの誤動作を検出した場合に通信動作を中止させる制御部を設けることにより、通信の誤動作を防止することが可能となる。
【００２６】
更に、定期的に接点状態検出部の出力を確認するよう制御部を構成することにより、リレーの誤動作に対して確実に対処することが可能となる。
【図面の簡単な説明】
【図１】本発明の実施例１における端末網制御装置のブロック図
【図２】同装置のタイミングチャート
【図３】（ａ）本発明の実施例２における端末網制御装置のマイコンの外部入力割込処理のフローチャート
（ｂ）同マイコンのメイン処理のフローチャート
【図４】本発明の実施例３における端末網制御装置のブロック図
【図５】本発明の実施例４における端末網制御装置のタイミングチャート
【図６】（ａ）本発明の実施例５における端末網制御装置のマイコンの外部入力割込処理のフローチャート
（ｂ）同マイコンのメイン処理のフローチャート
【図７】従来の端末網制御装置のブロック図
【符号の説明】
１  端末網制御装置
２  電話回線
３  通信処理部
４  電話機
５  リレー部
６  接点状態検出部
７  制御部
８  メータインタフェース部
【図１】
0004023009.tif 000002
【図２】
0004023009.tif 000003
【図３】
0004023009.tif 000004
【図４】
0004023009.tif 000005
【図５】
0004023009.tif 000006
【図６】
0004023009.tif 000007
【図７】
0004023009.tif 000008